(57)【要約】【課題】  多数の携帯電話に対して利用制限と利用可能番号を個別に登録する作業を一人でも処理可能とする。機密データの漏洩の可能性を排除し、大人数で行う入力作業のミスを解消する。【解決手段】  携帯電話装置１０のケース体１１を支持するホルダ１４と、携帯電話装置のスイッチボタン１２を押圧するソレノイド装置２０と、このソレノイド装置を駆動制御する押圧コントローラ３０とを備える。押圧コントローラは、携帯電話装置のスイッチボタンに対応したキー数を備える入力操作ボード３２と、入力された押圧順序通りにデータを格納する駆動データ格納部３３と、該駆動データ格納部に格納された押圧順序のデータに基づいて、前記ソレノイド装置を駆動するソレノイド駆動部３５とを備えるよう構成する。【選択図】    図１
0003119269.tif 000002
【実用新案登録請求の範囲】
【請求項１】
携帯電話装置のケース体を支持するホルダと、
携帯電話装置のスイッチボタンを押圧するソレノイド装置と、
このソレノイド装置を駆動制御する押圧コントローラとを備え、
この押圧コントローラは、
携帯電話装置のスイッチボタンに対応したキー数を備える入力操作ボードと、
入力操作ボードを介して入力された押圧順序のデータを格納する、駆動データ格納部と、
該駆動データ格納部に格納された押圧順序のデータに基づいて、前記ソレノイド装置を駆動するソレノイド駆動部とを備えることを特徴とする携帯電話の自動入力装置。
【請求項２】
入力操作ボードは、少なくとも、携帯電話装置のスイッチボタンと外観略同一に配したキーを備えることを特徴とする請求項１記載の携帯電話の自動入力装置。
【請求項３】
押圧コントローラは、携帯電話装置に登録する電話番号を複数の群に分けて作成し、群分けした入力パターンに従ってソレノイド装置の駆動モードを変更するモード切替制御部を備えることを特徴とする請求項１または請求項２記載の携帯電話の自動入力装置。
【考案の詳細な説明】
【技術分野】
【０００１】
本考案は、携帯電話に対して自動的に電話番号を登録格納させるための装置に関する。
【背景技術】
【０００２】
携帯電話（登録商標ＰＨＳの機種を含む；特許請求の範囲を含めて本明細書において同じ）は、連絡や確認等のために企業活動等にとって欠かせないものとなっている。
【０００３】
しかし、その一方で、企業等の各種組織から従業者に対して支給される携帯電話がプライベートな目的で使用された場合には、通信回線の利用料金が支給者である企業等に対して課金されるため、携帯電話を支給する際には、利用できる電話番号を予め想定して登録しておき、それ以外の電話番号は回線利用ができないように設定する。
【０００４】
このような設定作業は、少人数の企業等では会社内の人員を動員して処理することも可能であるが、支給する携帯電話の数が多い場合は、外部から作業スタッフを大量に雇用するなどして、いわゆる人海戦術的に作業を行う。
【特許文献１】なし
【考案の開示】
【考案が解決しようとする課題】
【０００５】
問題は、外部の人間を使った入力作業による機密保持の困難と、人為操作による入力ミスである。
【０００６】
支給する携帯電話は、いわゆる電話帳メニューに登録した番号以外の通信接続を禁止するようになっているが、そのための利用制限は、管理者コード（制限解除の番号）を知っていれば簡単に解除できる。外部の作業スタッフを雇い入れた場合、管理者コードの機密を絶対保証することは非常に困難である。
【０００７】
また入力ミスの問題もある。外部の作業スタッフの作業能力が十分に高い場合でも、人為的な入力操作によって利用制限の設定や利用可能な電話番号の登録設定を連続的に行うと、スイッチボタンの押圧操作の回数が非常に多いため、入力ミスを防止することは確率的にも難しい。
【０００８】
そこで、本考案の目的は、多くの携帯電話に対して利用制限と利用可能番号を個別に登録する作業を、一人でも処理可能とすることによって、機密データの漏洩の可能性を排除し、かつ、人海戦術に伴う入力ミスの問題を解消する点にある。
【課題を解決するための手段】
【０００９】
前記目的を達成するため、請求項１に係る携帯電話の自動入力装置は、携帯電話装置のケース体を支持するホルダと、携帯電話装置のスイッチボタンを押圧するソレノイド装置と、このソレノイド装置を駆動制御する押圧コントローラとを備えており、押圧コントローラは、携帯電話装置のスイッチボタンに対応したキー数を備える入力操作ボードと、入力操作ボードを介して入力された押圧順序通りにデータを格納する駆動データ格納部と、該駆動データ格納部に格納された押圧順序のデータに基づいて、前記ソレノイド装置を駆動するソレノイド駆動部とを備えるよう構成する。
【００１０】
入力操作ボードは、携帯電話装置のスイッチボタンと同一又は類似のキー配列のを使うことが望ましい（請求項２）。利用制限の設定、解除、および電話帳メニューへの電話番号の登録の操作を、実際の携帯電話装置に入力する手順と同じ要領で入力操作を行うことができるからである。入力操作ボードを使いやすい大きさにしておけば、連続的なキーの押圧作業でも疲労しにくい。
【００１１】
請求項１の装置は、入力操作ボードを介して入力したキーのデータを、押圧順序の通りに駆動データ格納部に保存する。そして、駆動データ格納部の保存データに従ってソレノイド装置が駆動され、携帯電話装置のスイッチボタンを入力データの押圧順序通りに押圧する。
【００１２】
このように、入力操作ボードを使って駆動データ格納部にキーの押圧データを保存すれば、入力した押圧データの順番通りにソレノイド装置を駆動することが出来るため、複数の携帯電話装置に対して何度でも同じ入力処理を自動的に行うことが出来る。人為操作は、入力操作ボードを使ったキーの押圧操作と、ホルダに納める携帯電話装置の交換だけである。ホルダは、スイッチボタンを押圧するソレノイド装置の押圧力による携帯電話装置のぐらつき（微妙な位置ずれ）を抑える構造をもっていればよい。
【００１３】
請求項３のように、電話番号を群（パターン）として登録し、パターンを切り替えてソレノイド装置を駆動すれば、企業等の組織内で利用する携帯電話のグループ処理を容易に行うことが可能となる。
【考案の効果】
【００１４】
本考案に係る携帯電話の自動入力装置によれば、一回の入力操作によって、複数の携帯電話装置に対し入力順序通りの押圧処理を繰り返して行うことが出来る。複数人員を使った入力処理を要しないので、機密を保持しやすい。また管理責任者等、一人の入力作業があればよいので、押圧ミスに起因する問題の発生確率を確実に低減できる。
【考案を実施するための最良の形態】
【００１５】
図１は、本考案に係る携帯電話の自動入力装置の一実施態様を示すものである。この自動入力装置は、携帯電話装置１０のケース体１１を支持するホルダ１４と、携帯電話装置１０のスイッチボタン１２を押圧するソレノイド装置２０と、このソレノイド装置２０を駆動する押圧コントローラ３０とを備える。
【００１６】
押圧コントローラ３０は、携帯電話装置１０のスイッチボタン１２に対応したキー数を備える入力操作ボード３２と、入力操作ボード３２を介して入力された押圧順序のデータを格納する駆動データ格納部３３と、該駆動データ格納部３３に格納された押圧順序のデータに基づいて、前記ソレノイド装置２０を駆動するソレノイド駆動部３５とを備えるよう構成する。
【００１７】
この実施形態では、駆動データ格納部３３とソレノイド駆動部３５とをひとつの装置ユニット、例えば専用の制御用ＣＰＵボードを搭載した端末装置によって実現する。勿論、駆動データ格納部３３とソレノイド駆動部３５は、それぞれ独立した装置ユニットとして構成しても構わない。
【００１８】
また、この実施形態では、携帯電話装置１０に登録する電話番号を複数の群に分けて作成し、群分けした入力パターンに従ってソレノイド装置２０の駆動モードを変更できるよう、モードの切替制御部５０を設けてある。これは、例えば、７００台の携帯電話装置１０に対して入力を行う場合に、Ａ地区の３００台、Ｂ地区の２００台、Ｃ地区の１００台、Ｄ地区の１００台といった具合に、各地区の担当者が使用する携帯電話装置１０ごとに、電話帳メニューに登録しておく電話番号群（番号のグループないしパターン）を切り替えて、ソレノイド装置２０を駆動するときに役立つ。
【００１９】
以下、各部の構成を具体的に説明する。ホルダ１４は、携帯電話装置１０のスイッチボタン１２がソレノイド装置２０によって押圧されたときに、携帯電話装置１０の転倒や大きな位置ずれを防止するよう、ケース体１１を支持するものである。スイッチボタン１２側（正面側）は、ソレノイド装置２０による押圧が可能となるよう開口部を設ける。少なくとも背面は確実に支持できる構造とする。好ましくは、背面、底面、正面外周を支持し、上部から携帯電話装置１０の差し込みと引き抜きが出来る構造としておく。
【００２０】
ソレノイド装置２０は、携帯電話装置１０のスイッチボタン１２を個別に押圧する。このため、ソレノイド装置２０には、携帯電話装置１０のスイッチボタン１２を個別に押圧できる個数の進退ピストン２５を設ける。ただし、機種によっては、利用制限設定や電話番号登録等にあたって携帯電話装置１０のすべてのスイッチボタン１２を使用するわけではないから、進退ピストン２５は、スイッチボタン１２の押圧操作に要求される最低限の数を配すればよい。進退ピストン２５の数を多めにしておけば、どのような機種にも柔軟に対処出来るので、ソレノイド装置２０に配する進退ピストン２５は、予備のものを予め配しておくことが望ましい。
【００２１】
進退ピストン２５は、具体的には、例えば、電磁ソレノイドによって進退動するスライダ部材と、このスライダ部材に基端を固定した可撓性のある細い金属ワイヤと、この金属ワイヤを包む樹脂製チューブによって構成する。実用化にあたっては、樹脂製チューブも可撓性があることが望ましいので、例えば、シリコン樹脂によって成形したチューブ材を用いて前記金属ワイヤを摺動可能に包むことが望ましい。また、携帯電話装置１０のスイッチボタン１２を確実に押圧するため、金属ワイヤの先端部は面積を広くしておくことが望ましい。例えば、押圧用の専用ピースを固定して金属ワイヤの押圧力を大きな面積で均等にスイッチボタン１２に伝達する等である。
【００２２】
入力操作ボード３２は、ソレノイド装置２０の各進退ピストン２５を個別に駆動制御するためのコマンドを入力できるものであればよい。つまり最低限、進退ピストン２５の数に対応した個数の入力スイッチをもっていればよい。入力スイッチの配列やデザインは機能とは関係がないので、どのように構成してもよく、例えばいわゆるキーボードを利用することも可能である。
【００２３】
しかしながら、企業等の担当者が、携帯電話装置１０に利用制限の設定や利用制限の解除の登録操作を行い、数多くの電話番号を連続的に登録する場合には、入力操作ボード３２のスイッチは、携帯電話実機（１０）のスイッチボタン１２と略同様の配列構成をもっていることが望ましい。その方が、携帯電話実機（１０）の操作マニュアルに従って利用制限の設定や電話番号の設定登録等を行いやすいからである。入力操作ボード３２のスイッチを携帯電話実機（１０）のスイッチボタン１２とまったく同じデザインにする必要はない。入力操作がスムースに行える程度のデザインの類似性ないし共通性があれば、実用上の問題は生じないからである。
【００２４】
モードの切替制御部５０は、適宜数、例えば５つのパターンの電話番号群を登録できるようにする。各電話番号群を入力作成するときには、パターン毎に入力を繰り返す方法と、すでに作成した入力パターンを利用して電話番号を削除、追加する方法とがある。どちらの方式でもよい。モードの切替制御部５０のコストを低く抑える場合は、単純な方式、つまり作成しようとする電話番号群のパターン毎に入力操作を行う方式を採用すればよい。
【００２５】
電話番号群のパターンの作成および制御出力の切り替えは、例えば、ダイヤル式のモード切替スイッチによって行う。ソレノイド装置２０は、このダイヤル式の切替スイッチのモード操作およびに従い、前記駆動データ格納部３３からの押圧データに基づいて進退ピストン２５を駆動する。
【００２６】
なお、入力操作ボード３２からの入力状態、あるいはモードの切替制御部５０の状態を表示するため、適宜箇所、例えば少なくとも入力操作ボード３２またはモードの切替制御部５０に文字表示用の液晶モニタを設けることが望ましい。
【００２７】
従って、かかる構成によれば、入力操作ボード３２およびを介して入力した利用制限データ、および切替制御部５０によってパターン化された電話番号群は、駆動データ格納部３３に格納され、駆動スイッチをオンすることによって入力された順番通りにソレノイド装置２０の進退ピストン２５を駆動し、携帯電話装置１０のスイッチボタン１２を連続的に押圧させることが出来る。
【００２８】
ひとつの携帯電話装置１０に対する押圧登録の処理が終了したときは、ホルダ１４に納めてある携帯電話装置１０を取り出して、新しい携帯電話装置１０をホルダ１４に納め、駆動スイッチをオンし、新たに押圧登録の自動処理を行う。これを繰り返す。２００台、３００台・・と数が増えても、連続的に同一処理が出来る。登録する電話番号群を変更するときには、モードの切替制御部５０のダイヤル式のスイッチを切り替えるだけでよい。ソレノイド装置２０を起動する駆動スイッチは、例えば切替制御部５０に設ける。駆動スイッチは独立して設けても良いし入力操作ボード３２に設けても良いが、入力操作ボード３２に較べて操作機会の少ない入力操作ボード３２側に設けておけば、誤操作を防止しやすいしコスト的にも有利である。
【００２９】
入力操作ボード３２と切替制御部５０は、別パーツとして構成する必要はない。例えば、図２に示すように、ひとつのユニット装置として構成することも可能だからである。
【００３０】
入力操作ボード３２と切替制御部５０をユニット化する場合は、液晶モニタ６０も当該ユニットに配しておくことが望ましい。図２に示すユニット装置でいえば、入力操作ボード３２は各種の携帯電話装置１０に対応できる入力スイッチ３８を備え、液晶モニタ６０を挟んでその上方に切替制御部５０を構成するスイッチ５２〜５７を備える。
【００３１】
スイッチ５２〜５７の機能は、例えば、スイッチ５２が液晶表示をスクロールするステップ操作ボタン、スイッチ５３がパターン登録とパターン出力を切り替える切替スイッチ、スイッチ５４が進退ピストン２５の押圧タイミングを可変するタイミング調整ボタン、スイッチ５５が入力操作ボード３２から入力したデータを確定するセットボタン、スイッチ５６が入力操作ボード３２から入力したデータを修正するための訂正ボタン、スイッチ５６が液晶表示のスクロール箇所を確定する選択ボタンである。これらのスイッチ構成は、図面に示した配列や種類に限定されるものではない。使いやすい機能を実現するための例示にすぎないからである。
【００３２】
入力スイッチ３８は、各種の携帯電話等のスイッチ構成に共通する外観パターンをもつよう構成してあるから、本装置のユーザは、携帯電話装置１０の操作マニュアルに従って入力スイッチ３８を押圧操作し、利用制限の設定（または解除）や電話番号登録を行えばよい。入力結果は液晶モニタ６０に表示され、また修正も可能である。
【００３３】
前記実施形態では、駆動データ格納部３３を、ソレノイド駆動部３５と同じユニットで構成する旨説明したが、図２に示すような入力操作ボード３２と切替制御部５０のユニットを用いる場合は、入力操作ボード側に駆動データ格納部を設けてもよい。電話番号群のパターンの作成および制御出力の切り替えスイッチは、ダイヤル式に限らず、押圧式のスイッチを用いてもよい。
【図面の簡単な説明】
【００３４】
【図１】本考案の実施形態に係る携帯電話の自動入力装置を例示する図である。
【図２】本考案に係る入力操作ボードと切替制御部を外観例示する図である。
【符号の説明】
【００３５】
１０  携帯電話装置
１１  ケース体
１２  スイッチボタン
１４  ホルダ
２０  ソレノイド装置
２５  進退ピストン
３０  押圧コントローラ
３２  入力操作ボード
３３  駆動データ格納部
３５  ソレノイド駆動部
３８  入力スイッチ
５０  モードの切替制御部
５２〜５７  （登録パターンの切替制御用の）スイッチ
６０  液晶モニタ
【図１】
0003119269.tif 000003
【図２】
0003119269.tif 000004